(57)【要約】      （修正有）【課題】引き出される衛生用紙の厚みを調整することが可能な衛生用紙収納具を提供する。【解決手段】ロール状の衛生用紙９２及びロール状の衛生用紙９４を収納する本体部１０を備えている。本体部１０は、衛生用紙９２が収納される空間１２、及び衛生用紙９４が収納される空間１４を有している。また、本体部１０は、空間１２に収納された衛生用紙９２と空間１４に収納された衛生用紙９４とを同時に引き出すことが可能な引出部２０を有している。【選択図】図３
2018187415.tif 000002
【特許請求の範囲】
【請求項１】
ロール状の第１及び第２の衛生用紙を収納する本体部を備え、
前記本体部は、
前記第１の衛生用紙が収納される第１の空間と、
前記第２の衛生用紙が収納される第２の空間と、
前記第１の空間に収納された前記第１の衛生用紙と前記第２の空間に収納された前記第２の衛生用紙とを同時に引き出すことが可能な引出部と、を有することを特徴とする衛生用紙収納具。
【請求項２】
請求項１に記載の衛生用紙収納具において、
前記引出部は、前記第１及び第２の衛生用紙の双方を通過させる１つの開口のみからなる衛生用紙収納具。
【請求項３】
請求項２に記載の衛生用紙収納具において、
前記開口は、正面視で、前記第１の空間に収納される前記第１の衛生用紙の中心軸と前記第２の空間に収納される前記第２の衛生用紙の中心軸との間に位置する衛生用紙収納具。
【請求項４】
請求項３に記載の衛生用紙収納具において、
正面視で、前記第１の衛生用紙の前記中心軸から前記開口までの距離は、前記第２の衛生用紙の前記中心軸から前記開口までの距離に等しい衛生用紙収納具。
【請求項５】
請求項１に記載の衛生用紙収納具において、
前記引出部は、前記第１の衛生用紙を通過させる第１の開口と、前記第２の衛生用紙を通過させる第２の開口とからなる衛生用紙収納具。
【請求項６】
請求項５に記載の衛生用紙収納具において、
正面視で、前記第１及び第２の開口は、横長の形状をしており、当該第１及び第２の開口の短手方向に沿って配列されている衛生用紙収納具。
【請求項７】
請求項５又は６に記載の衛生用紙収納具において、
前記第１及び第２の開口は、正面視で、前記第１の空間に収納される前記第１の衛生用紙の中心軸と前記第２の空間に収納される前記第２の衛生用紙の中心軸との間に位置する衛生用紙収納具。
【請求項８】
請求項７に記載の衛生用紙収納具において、
正面視で、前記第１の衛生用紙の前記中心軸から前記第１の開口までの距離は、前記第２の衛生用紙の前記中心軸から前記第２の開口までの距離に等しい衛生用紙収納具。
【請求項９】
請求項１乃至８の何れかに記載の衛生用紙収納具において、
前記本体部は、前記第１の衛生用紙が前記第１の空間から前記第２の空間に移動するのを防止するとともに、前記第２の衛生用紙が前記第２の空間から前記第１の空間に移動するのを防止する移動防止手段を有する衛生用紙収納具。
【請求項１０】
請求項９に記載の衛生用紙収納具において、
前記本体部は、前記移動防止手段として、前記第１の空間と前記第２の空間との間に設けられた壁部材を有する衛生用紙収納具。
【請求項１１】
請求項１乃至１０の何れかに記載の衛生用紙収納具において、
前記本体部の前記第１の空間には、前記第１の衛生用紙の中心軸の位置を固定するための第１の固定手段が設けられている衛生用紙収納具。
【請求項１２】
請求項１１に記載の衛生用紙収納具において、
前記第１の固定手段は、前記第１の衛生用紙の中心部の隙間に挿通される支軸である衛生用紙収納具。
【請求項１３】
請求項１乃至１２の何れかに記載の衛生用紙収納具において、
前記本体部の前記第２の空間には、前記第２の衛生用紙の中心軸の位置を固定するための第２の固定手段が設けられている衛生用紙収納具。
【請求項１４】
請求項１３に記載の衛生用紙収納具において、
前記第２の固定手段は、前記第２の衛生用紙の中心部の隙間に挿通される支軸である衛生用紙収納具。
【請求項１５】
請求項１乃至１４の何れかに記載の衛生用紙収納具において、
前記本体部は、箱型をしている衛生用紙収納具。
【請求項１６】
請求項１５に記載の衛生用紙収納具において、
前記本体部の外形は、略直方体である衛生用紙収納具。
【請求項１７】
請求項１乃至１４の何れかに記載の衛生用紙収納具において、
前記本体部は、角筒型をしている衛生用紙収納具。
【請求項１８】
請求項１乃至１７の何れかに記載の衛生用紙収納具において、
前記第１及び第２の衛生用紙は、それぞれ個別の箱に収容された状態のまま前記本体部に収納される衛生用紙収納具。
【請求項１９】
請求項１乃至１８の何れかに記載の衛生用紙収納具において、
前記本体部の外面には、図柄が描かれている衛生用紙収納具。
【請求項２０】
請求項１乃至１９の何れかに記載の衛生用紙収納具において、
前記本体部は、紙製である衛生用紙収納具。
【請求項２１】
請求項１乃至２０の何れかに記載の衛生用紙収納具において、
前記第１の衛生用紙の重ね枚数と前記第２の衛生用紙の重ね枚数とは、互いに等しい衛生用紙収納具。
【請求項２２】
請求項１乃至２０の何れかに記載の衛生用紙収納具において、
前記第１の衛生用紙の重ね枚数と前記第２の衛生用紙の重ね枚数とは、相異なる衛生用紙収納具。
【請求項２３】
請求項１乃至２２の何れかに記載の衛生用紙収納具において、
前記第１及び第２の衛生用紙は、ティッシュペーパーである衛生用紙収納具。
【発明の詳細な説明】
【技術分野】
【０００１】
本発明は、ロール状の衛生用紙を収納する衛生用紙収納具に関する。
【背景技術】
【０００２】
従来の衛生用紙収納具としては、例えば特許文献１に記載されたものがある。同文献に記載された衛生用紙収納具は、ロール状の衛生用紙（トイレットペーパー）を収納する箱型の本体部を備えている。本体部には、使用時に衛生用紙を引き出すための開口が設けられている。
【先行技術文献】
【特許文献】
【０００３】
【特許文献１】特開２０１５−６２９９号公報
【発明の概要】
【発明が解決しようとする課題】
【０００４】
上述の衛生用紙収納具においては、開口を通じて衛生用紙の一端を引っ張ることにより、所望の長さの衛生用紙を本体部から引き出すことができる。すなわち、衛生用紙を引っ張る距離を変えることにより、引き出される衛生用紙の長さを調整することができる。しかしながら、引き出される衛生用紙の厚みは、当然ながら、本体部に収納された衛生用紙の厚みに等しくなる。そのため、引き出される衛生用紙の厚みを調整できないという問題がある。
【０００５】
本発明は、上記課題に鑑みてなされたものであり、引き出される衛生用紙の厚みを調整することが可能な衛生用紙収納具を提供することを目的とする。
【課題を解決するための手段】
【０００６】
本発明による衛生用紙収納具は、ロール状の第１及び第２の衛生用紙を収納する本体部を備え、上記本体部は、上記第１の衛生用紙が収納される第１の空間と、上記第２の衛生用紙が収納される第２の空間と、上記第１の空間に収納された上記第１の衛生用紙と上記第２の空間に収納された上記第２の衛生用紙とを同時に引き出すことが可能な引出部と、を有することを特徴とする。
【０００７】
この衛生用紙収納具においては、本体部における第１及び第２の空間に、それぞれ第１及び第２の衛生用紙が収納される。本体部には、第１の衛生用紙と第２の衛生用紙とを同時に引き出すことが可能な引出部が設けられている。このため、引出部を通じて第１及び第２の衛生用紙を重ね合わせながら同時に引き出すことにより、引き出される衛生用紙の厚みを、第１及び第２の衛生用紙の厚みの和に等しくすることができる。また、引出部を通じて第１又は第２の衛生用紙の何れか一方のみを引き出せば、引き出される衛生用紙の厚みを、第１又は第２の衛生用紙の厚みに等しくすることができる。このように、当該衛生用紙収納具においては、第１及び第２の衛生用紙の双方を引き出すか片方を引き出すかによって、引き出される衛生用紙の厚みを調整することができる。
【発明の効果】
【０００８】
本発明によれば、引き出される衛生用紙の厚みを調整することが可能な衛生用紙収納具が実現される。
【図面の簡単な説明】
【０００９】
【図１】本発明による衛生用紙収納具の第１実施形態を示す斜視図である。
【図２】図１の衛生用紙収納具を示す正面図である。
【図３】図２のIII−III線に沿った端面図である。
【図４】衛生用紙収納具１の使用時の様子を示す端面図である。
【図５】本発明による衛生用紙収納具の第２実施形態を示す斜視図である。
【図６】図５の衛生用紙収納具を示す正面図である。
【図７】図６のVII−VII線に沿った端面図である。
【図８】衛生用紙収納具２の使用時の様子を示す端面図である。
【図９】本発明による衛生用紙収納具の第３実施形態を示す斜視図である。
【図１０】図９の衛生用紙収納具を示す正面図である。
【図１１】図１０のXI−XI線に沿った端面図である。
【図１２】衛生用紙収納具３の使用時の様子を示す端面図である。
【図１３】変形例に係る衛生用紙収納具を示す端面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による衛生用紙収納具の第１実施形態を示す斜視図である。図２は、図１の衛生用紙収納具を示す正面図である。また、図３は、図２のIII−III線に沿った端面図である。衛生用紙収納具１は、ロール状の衛生用紙９２（第１の衛生用紙）及びロール状の衛生用紙９４（第２の衛生用紙）を収納する本体部１０を備えている。図２及び図３においては、本体部１０に衛生用紙９２及び衛生用紙９４が収納された状態を示している。
【００１２】
衛生用紙としては、例えば、ティッシュペーパー、トイレットペーパー、ペーパータオル等が挙げられる。ここで、ロール状の衛生用紙とは、帯状の衛生用紙がその短手方向に平行な軸周りに巻回されたものをいう。各衛生用紙９２，９４の中心部には、円筒状の芯が設けられていてもよいし、かかる芯が設けられていなくてもよい。衛生用紙９２の重ね枚数と衛生用紙９４の重ね枚数とは、互いに等しくてもよいし、相異なっていてもよい。ここで、衛生用紙の重ね枚数とは、ロールを展開した状態において積層されている紙の枚数をいう。例えば、所謂ダブルタイプのトイレットペーパーの重ね枚数は、２である。また、所謂シングルタイプのトイレットペーパーのように１枚の紙からなる衛生用紙についても便宜的に「重ね枚数」との表現を用いることとし、その値は１とする。
【００１３】
本体部１０は、箱型をしている。本体部１０の外形は、略直方体である。すなわち、本体部１０の外形は、６つの面から構成されている。衛生用紙９２及び衛生用紙９４を必要に応じて交換できるように、これらの面のうち少なくとも１つの面は、開閉可能であることが好ましい。本体部１０の外面には、図柄が描かれていてもよい。かかる図柄としては、例えば、動物、スイーツ（デザート）、乗り物、又は、アニメや漫画等のキャラクターの図柄が挙げられる。本体部１０の材料としては、例えば、紙（厚紙、段ボール等）、プラスチック、金属又は木を用いることができる。
【００１４】
本体部１０は、衛生用紙９２が収納される空間１２（第１の空間）、及び衛生用紙９４が収納される空間１４（第２の空間）を有している。空間１２及び空間１４は、衛生用紙９２の中心軸９２ａ（衛生用紙９４の中心軸９４ａ）に垂直な方向（図２及び図３における上下方向）に沿って配列されている。ここで、衛生用紙の中心軸とは、ロール状の衛生用紙を円柱又は円筒と見た場合における当該円柱又は円筒の中心軸に相当する仮想的な軸をいう。
【００１５】
空間１２と空間１４との間には、壁部材１６が設けられている。壁部材１６は、衛生用紙９２が空間１２から空間１４に移動するのを防止するとともに、衛生用紙９４が空間１４から空間１２に移動するのを防止する移動防止手段である。このように本体部１０は、移動防止手段として壁部材１６を有している。
【００１６】
本体部１０の空間１２には、衛生用紙９２の中心軸９２ａの位置を固定するための固定手段（第１の固定手段）が設けられていることが好ましい。第１の固定手段としては、例えば、衛生用紙９２の中心部の隙間に挿通される支軸を用いることができる。かかる支軸は、中心軸９２ａに沿って、衛生用紙９２の中心部の隙間の全体に挿通されてもよいし、当該隙間の一部にのみ挿通されてもよい。
【００１７】
本体部１０の空間１４には、衛生用紙９４の中心軸９４ａの位置を固定するための固定手段（第２の固定手段）が設けられていることが好ましい。第２の固定手段としては、例えば、衛生用紙９４の中心部の隙間に挿通される支軸を用いることができる。かかる支軸は、中心軸９４ａに沿って、衛生用紙９４の中心部の隙間の全体に挿通されてもよいし、当該隙間の一部にのみ挿通されてもよい。
【００１８】
また、本体部１０は、引出部２０を有している。引出部２０は、空間１２に収納された衛生用紙９２と空間１４に収納された衛生用紙９４とを同時に引き出すことができるように構成されている。本実施形態において引出部２０は、衛生用紙９２及び衛生用紙９４の双方を通過させる１つの開口２２のみからなる。開口２２は、本体部１０の外形を構成する６つの面のうちの１つの面（図２に示す面）に形成されている。開口２２は、正面視で、横長の形状をしている。開口２２の長手方向は、衛生用紙９２の中心軸９２ａ（衛生用紙９４の中心軸９４ａ）に平行である。
【００１９】
開口２２は、正面視で、空間１２に収納される衛生用紙９２の中心軸９２ａと空間１４に収納される衛生用紙９４の中心軸９４ａとの間に位置する。正面視で、衛生用紙９２の中心軸９２ａから開口２２までの距離ｄ１は、衛生用紙９４の中心軸９４ａから開口２２までの距離ｄ２に等しいことが好ましい。なお、衛生用紙収納具１は、本体部１０における引出部２０が設けられた面を横向きにした状態（図１に示す状態）で使用されてもよいし、当該面を上向きにした状態で使用されてもよい。
【００２０】
衛生用紙収納具１の効果を説明する。衛生用紙収納具１においては、本体部１０における空間１２及び空間１４に、それぞれ衛生用紙９２及び衛生用紙９４が収納される。本体部１０には、衛生用紙９２と衛生用紙９４とを同時に引き出すことが可能な引出部２０が設けられている。このため、図４に示すように、引出部２０を通じて衛生用紙９２及び衛生用紙９４を重ね合わせながら同時に引き出すことにより、引き出される衛生用紙の厚みを、衛生用紙９２及び衛生用紙９４の厚みの和に等しくすることができる。また、引出部２０を通じて衛生用紙９２又は衛生用紙９４の何れか一方のみを引き出せば、引き出される衛生用紙の厚みを、衛生用紙９２又は衛生用紙９４の厚みに等しくすることができる。このように、衛生用紙収納具１においては、衛生用紙９２及び衛生用紙９４の双方を引き出すか片方を引き出すかによって、引き出される衛生用紙の厚みを調整することができる。
【００２１】
引出部２０は、衛生用紙９２及び衛生用紙９４の双方を通過させる１つの開口２２のみからなる。このように衛生用紙９２と衛生用紙９４とが同一の開口（開口２２）を通るようにすることにより、衛生用紙９２及び衛生用紙９４を同時に引き出しやすくなる。
【００２２】
開口２２は、正面視で、衛生用紙９２の中心軸９２ａと衛生用紙９４の中心軸９４ａとの間に位置する。この場合、衛生用紙９２から開口２２までの距離と衛生用紙９４から開口２２までの距離との差が小さくなるので、衛生用紙９２を引き出すのに必要な力と衛生用紙９４を引き出すのに必要な力との差も小さくなる。これにより、衛生用紙９２及び衛生用紙９４を同時に引き出す動作を円滑に行いやすくなる。かかる観点から、衛生用紙９２の中心軸９２ａから開口２２までの距離ｄ１は、衛生用紙９４の中心軸９４ａから開口２２までの距離ｄ２に等しいことが好ましい。
【００２３】
本体部１０は、移動防止手段を有している。これにより、衛生用紙９２が空間１２から空間１４に移動するのを防止するとともに、衛生用紙９４が空間１４から空間１２に移動するのを防止することができる。特に本体部１０は、移動防止手段として壁部材１６を有している。これにより、移動防止手段を簡易な構成で実現することができる。
【００２４】
空間１２に衛生用紙９２の中心軸９２ａの位置を固定するための固定手段が設けられている場合、衛生用紙９２を引き出す際に中心軸９２ａが振れないようにすることができる。これにより、衛生用紙９２を円滑に引き出しやすくなる。特に固定手段が衛生用紙９２の中心部の隙間に挿通される支軸である場合、かかる固定手段を簡易な構成で実現することができる。
【００２５】
空間１４に衛生用紙９４の中心軸９４ａの位置を固定するための固定手段が設けられている場合、衛生用紙９４を引き出す際に中心軸９４ａが振れないようにすることができる。これにより、衛生用紙９４を円滑に引き出しやすくなる。特に固定手段が衛生用紙９４の中心部の隙間に挿通される支軸である場合、かかる固定手段を簡易な構成で実現することができる。
【００２６】
本体部１０は、箱型をしている。これにより、本体部１０に収納された衛生用紙９２，９４が開口２２以外の部分から露出しないようにすることができる。このことは、衛生用紙９２，９４が塵埃や水気に晒されるのを防ぐのに有利である。
【００２７】
本体部１０の外形は、略直方体である。この場合、本体部１０の外形を平面のみで構成することができるため、本体部１０の設計及び製造が容易となる。
【００２８】
本体部１０の外面に図柄が描かれている場合、本体部１０ひいては衛生用紙収納具１の美観を高めることができる。特に、動物、スイーツ、乗り物又はキャラクターの図柄は、子供を喜ばせるのに好適である。
【００２９】
衛生用紙９２の重ね枚数と衛生用紙９４の重ね枚数とが互いに等しい場合、衛生用紙９２及び衛生用紙９４の双方を引き出すか片方を引き出すかによって、引き出される衛生用紙の重ね枚数を２通りに調整することができる。すなわち、各衛生用紙９２，９４の重ね枚数をｍ（ｍは１以上の整数）としたとき、衛生用紙９２及び衛生用紙９４の双方を引き出せば、引き出される衛生用紙の重ね枚数は２ｍとなる。また、衛生用紙９２又は衛生用紙９４の何れか一方のみを引き出せば、引き出される衛生用紙の重ね枚数はｍとなる。
【００３０】
衛生用紙９２の重ね枚数と衛生用紙９４の重ね枚数とが相異なる場合、衛生用紙９２及び衛生用紙９４の双方を引き出すか片方を引き出すかによって、引き出される衛生用紙の重ね枚数を３通りに調整することができる。すなわち、衛生用紙９２及び衛生用紙９４の重ね枚数をそれぞれｍ及びｎ（ｍ、ｎは１以上の整数）としたとき、衛生用紙９２及び衛生用紙９４の双方を引き出せば、引き出される衛生用紙の重ね枚数は（ｍ＋ｎ）となる。また、衛生用紙９２のみを引き出せば引き出される衛生用紙の重ね枚数はｍとなり、衛生用紙９４のみを引き出せば引き出される衛生用紙の重ね枚数はｎとなる。
【００３１】
本体部１０が紙製である場合、軽量性に優れた衛生用紙収納具１を実現することができる。また、不要になった衛生用紙収納具１を可燃ごみとして処分しやすくなる。  
（第２実施形態）
【００３２】
図５は、本発明による衛生用紙収納具の第２実施形態を示す斜視図である。図６は、図５の衛生用紙収納具を示す正面図である。また、図７は、図６のVII−VII線に沿った端面図である。衛生用紙収納具２は、衛生用紙９２及び衛生用紙９４を収納する本体部１０を備えている。
【００３３】
本体部１０は、引出部２０を有している。引出部２０は、空間１２に収納された衛生用紙９２と空間１４に収納された衛生用紙９４とを同時に引き出すことができるように構成されている。本実施形態において引出部２０は、衛生用紙９２を通過させる開口２４（第１の開口）と衛生用紙９４を通過させる開口２６（第２の開口）とからなる。開口２４及び開口２６は、本体部１０の外形を構成する６つの面のうちの１つの面（図６に示す面）に形成されている。正面視で、開口２４及び開口２６は、横長の形状をしており、開口２４及び開口２６の短手方向（図６及び図７における上下方向）に沿って配列されている。各開口２４，２６の長手方向は、衛生用紙９２の中心軸９２ａ（衛生用紙９４の中心軸９４ａ）に平行である。開口２４及び開口２６は、形状及び大きさが互いに等しいことが好ましい。
【００３４】
開口２４及び開口２６は、正面視で、空間１２に収納される衛生用紙９２の中心軸９２ａと空間１４に収納される衛生用紙９４の中心軸９４ａとの間に位置する。正面視で、開口２４は中心軸９２ａと開口２６との間に位置し、開口２６は中心軸９４ａと開口２４との間に位置する。正面視で、衛生用紙９２の中心軸９２ａから開口２４までの距離ｄ３は、衛生用紙９４の中心軸９４ａから開口２６までの距離ｄ４に等しいことが好ましい。衛生用紙収納具２のその他の構成は、衛生用紙収納具１と同様である。
【００３５】
衛生用紙収納具２の効果を説明する。衛生用紙収納具２においては、本体部１０における空間１２及び空間１４に、それぞれ衛生用紙９２及び衛生用紙９４が収納される。本体部１０には、衛生用紙９２と衛生用紙９４とを同時に引き出すことが可能な引出部２０が設けられている。このため、図８に示すように、引出部２０を通じて衛生用紙９２及び衛生用紙９４を重ね合わせながら同時に引き出すことにより、引き出される衛生用紙の厚みを、衛生用紙９２及び衛生用紙９４の厚みの和に等しくすることができる。また、引出部２０を通じて衛生用紙９２又は衛生用紙９４の何れか一方のみを引き出せば、引き出される衛生用紙の厚みを、衛生用紙９２又は衛生用紙９４の厚みに等しくすることができる。このように、衛生用紙収納具２においては、衛生用紙９２及び衛生用紙９４の双方を引き出すか片方を引き出すかによって、引き出される衛生用紙の厚みを調整することができる。
【００３６】
引出部２０は、衛生用紙９２を通過させる開口２４と衛生用紙９４を通過させる開口２６とからなる。このように衛生用紙９２と衛生用紙９４とが別々の開口（開口２４，２６）を通るようにすることにより、衛生用紙９２又は衛生用紙９４の何れか一方のみを引き出しやすくなる。
【００３７】
開口２４及び開口２６は、その短手方向に沿って配列されている。この場合、開口２４を通じて引き出される衛生用紙９２と開口２６を通じて引き出される衛生用紙９４とが向かい合わせになるため、衛生用紙９２及び衛生用紙９４を引き出す際に両者を重ね合わせやすいという利点がある。
【００３８】
開口２４及び開口２６は、正面視で、衛生用紙９２の中心軸９２ａと衛生用紙９４の中心軸９４ａとの間に位置する。この場合、衛生用紙９２から開口２４までの距離と衛生用紙９４から開口２６までの距離との差が小さくなるので、衛生用紙９２を引き出すのに必要な力と衛生用紙９４を引き出すのに必要な力との差も小さくなる。これにより、衛生用紙９２及び衛生用紙９４を同時に引き出す動作を円滑に行いやすくなる。かかる観点から、衛生用紙９２の中心軸９２ａから開口２４までの距離ｄ３は、衛生用紙９４の中心軸９４ａから開口２６までの距離ｄ４に等しいことが好ましい。衛生用紙収納具２のその他の効果は、衛生用紙収納具１と同様である。
（第３実施形態）
【００３９】
図９は、本発明による衛生用紙収納具の第３実施形態を示す斜視図である。図１０は、図９の衛生用紙収納具を示す正面図である。また、図１１は、図１０のXI−XI線に沿った端面図である。衛生用紙収納具３は、衛生用紙９２及び衛生用紙９４を収納する本体部１０を備えている。
【００４０】
本実施形態において本体部１０は、角筒型をしている。すなわち、本体部１０の外形は、４つの面から構成されている。空間１２及び空間１４の配列方向（図１０及び図１１における上下方向）は、本体部１０の延在方向に等しい。本体部１０は、開口２２からなる引出部２０を有している。開口２２は、本体部１０の外形を構成する４つの面のうちの１つの面（図１０に示す面）に形成されている。衛生用紙収納具３のその他の構成は、衛生用紙収納具１と同様である。なお、本実施形態において引出部２０は、開口２４及び開口２６からなるものであってもよい。開口２４及び開口２６の構成は、第２実施形態で説明したとおりである。
【００４１】
衛生用紙収納具３の効果を説明する。衛生用紙収納具３においては、本体部１０における空間１２及び空間１４に、それぞれ衛生用紙９２及び衛生用紙９４が収納される。本体部１０には、衛生用紙９２と衛生用紙９４とを同時に引き出すことが可能な引出部２０が設けられている。このため、図１２に示すように、引出部２０を通じて衛生用紙９２及び衛生用紙９４を重ね合わせながら同時に引き出すことにより、引き出される衛生用紙の厚みを、衛生用紙９２及び衛生用紙９４の厚みの和に等しくすることができる。また、引出部２０を通じて衛生用紙９２又は衛生用紙９４の何れか一方のみを引き出せば、引き出される衛生用紙の厚みを、衛生用紙９２又は衛生用紙９４の厚みに等しくすることができる。このように、衛生用紙収納具３においては、衛生用紙９２及び衛生用紙９４の双方を引き出すか片方を引き出すかによって、引き出される衛生用紙の厚みを調整することができる。
【００４２】
本体部１０は、角筒型をしている。この場合、本体部１０の両端が開放されているため、当該両端を通じて衛生用紙９２及び衛生用紙９４の交換を容易に行うことができる。衛生用紙収納具３のその他の効果は、衛生用紙収納具１と同様である。
【００４３】
本発明は、上記実施形態に限定されるものではなく、様々な変形が可能である。上記実施形態においては、衛生用紙９２及び衛生用紙９４が裸の状態で本体部１０に収納される場合を例示した。しかし、衛生用紙９２及び衛生用紙９４は、図１３に示すように、それぞれ個別の箱に収容された状態のまま本体部１０に収納されてもよい。同図においては、衛生用紙９２が箱３２に収容されるとともに、衛生用紙９４が箱３４に収容されている。箱３２には、衛生用紙９２を引き出すための開口が設けられている。同様に、箱３４には、衛生用紙９４を引き出すための開口が設けられている。
【００４４】
この場合、個別の箱に包装された２つの衛生用紙を当該箱から取り出すことなく、衛生用紙９２及び衛生用紙９４として利用することが可能となる。なお、図１３においては、第３実施形態で説明した角筒型の本体部１０を示しているが、第１及び第２実施形態で説明した箱型の本体部１０を用いてもよいことは言うまでもない。
【符号の説明】
【００４５】
１  衛生用紙収納具
２  衛生用紙収納具
３  衛生用紙収納具
１０  本体部
１２  空間（第１の空間）
１４  空間（第２の空間）
１６  壁部材
２０  引出部
２２  開口
２４  開口（第１の開口）
２６  開口（第２の開口）
３２  箱
３４  箱
９２  衛生用紙（第１の衛生用紙）
９２ａ  中心軸
９４  衛生用紙（第２の衛生用紙）
９４ａ  中心軸
【図１】
2018187415.tif 000003
【図２】
2018187415.tif 000004
【図３】
2018187415.tif 000005
【図４】
2018187415.tif 000006
【図５】
2018187415.tif 000007
【図６】
2018187415.tif 000008
【図７】
2018187415.tif 000009
【図８】
2018187415.tif 000010
【図９】
2018187415.tif 000011
【図１０】
2018187415.tif 000012
【図１１】
2018187415.tif 000013
【図１２】
2018187415.tif 000014
【図１３】
2018187415.tif 000015